(57)【要約】【課題】ステージの上下動に頼ることなく、１つの試料保持装置で大きさ形状の異なる複数の試料に対して、測定光が中心に位置する試料保持装置を提供することを目的とする。【解決手段】本発明の試料保持装置は、回転しながら上下動する第２のベース１２と、試料を両側から挟み持つ試料押え１９とを有し、第２のベース１２の上下動と連動して試料押え１９がスライドして試料を保持する保持間隔が変化し、試料が小さいほど回転台が上方へ移動し、試料が小さいほど試料を保持する保持間隔が小さくなる。【選択図】  図１
2011021958.tif 000002
【特許請求の範囲】
【請求項１】
回転しながら上下動する回転台と、試料を両側から挟み持つ試料保持部とを有し、
回転台の上下動と連動して試料保持部がスライドして試料を保持する保持間隔が変化し、
試料が小さいほど回転台が上方へ移動し、試料が小さいほど試料を保持する保持間隔が小さくなることを特徴とする試料保持装置。
【請求項２】
前記回転台と共に回転する歯車を有し、
試料保持部は前記歯車のピッチと同じピッチの溝を有し、
前記試料保持部は、前記歯車と前記溝がかみ合ってスライドすることを特徴とする請求項１に記載の試料保持装置。
【請求項３】
前記試料保持部は、２つの部材から成り、これらの部材が独立してスライドすることを特徴とする請求項１または２に記載の試料保持装置。
【請求項４】
回転しながら上下動する回転台と、回転台の下方に位置し回転台を上方へ押し上げる弾性体と、回転台上に設けられ回転台と共に回転する板と、回転台と板との間に設けられ回転台の回転と共に回転する歯車と、歯車のピッチと同ピッチの溝を有する２つの試料保持部材とを備え、
前記板には、細長い貫通穴が設けられており、
２つの試料保持部は独立してスライドし、試料を両側から挟み持つものであり、
２つの試料保持部は前記板の上方に位置し、溝が上記細長い貫通穴を抜けて該溝と歯車とがかみ合うように設けられており、
試料が小さいほど回転台が上方へ移動し、試料が小さいほど試料を保持する保持間隔が小さくなることを特徴とする試料保持装置。
【請求項５】
前記弾性体はバネであることを特徴とする請求項４に記載の試料保持装置。
【請求項６】
回転台を保持する円筒状の基台を有し、
基台には側面に傾斜して設けられた切り欠きが設けられ、
回転台には外側に突出した突起部が設けられており、
前記突起部が前記切り欠きに沿って移動することにより、前記回転台が上下動することを特徴とする請求項３に記載の試料保持装置。
【請求項７】
上下運動を回転運動に変換する手段と、前記回転運動を歯車で直線運動に変換する手段と、前記直線運動を試料保持部品へ伝達する手段とを有することを特徴とする試料保持装置。
【請求項８】
請求項１から７のいずれか１項に記載の試料保持部と、光源と、光源からの測定光の波長選択する分光器と、試料からの測定光を検知する検知器を有する、分光光度計。
【発明の詳細な説明】
【技術分野】
【０００１】
本発明は、分光光度計およびそれに用いる試料保持装置に関する。
【背景技術】
【０００２】
従来、分光光度計は、複数の試料保持装置を保有し、測定する試料の形状および大きさに依り適切な試料保持装置を選択していた。図８（ａ）〜（ｃ）に３つの試料保持装置の例を示す。これらの図から分かるように、試料を挟み込む間の距離が短いほど、試料の台の高さが高くなっている。正しい測定をするには測定光に対して試料を試料の中心位置へ移動させる必要があるからである。従来は、試料の大きさに応じて試料保持装置を取り替えて使っていた。
【０００３】
また、分光光度計本体へ上下移動するステージを備えさせ、前記ステージの上へ試料保持装置を設置して、前記ステージの上下移動により測定光に対して試料を試料の中心位置へ移動させていた。図９はステージの上へ設置された試料保持装置の例を示す図である。
【先行技術文献】
【特許文献】
【０００４】
【特許文献１】特開２００７−１７０９８４号公報
【発明の概要】
【発明が解決しようとする課題】
【０００５】
大きさや形状の異なる個々の試料に対して試料保持装置を取り替えるのは面倒であり、また、わざわざこのためだけに上下動させるステージを設けるというのもコストアップにつながった。
【０００６】
本発明の目的は、ステージの上下動に頼ることなく、１つの試料保持装置で大きさ形状の異なる複数の試料に対して、測定光が中心に位置する試料保持装置を提供することである。
【課題を解決するための手段】
【０００７】
上記課題を解決するために、本発明の試料保持装置は、回転しながら上下動する回転台と、試料を両側から挟み持つ試料保持部とを有し、回転台の上下動と連動して試料保持部がスライドして試料を保持する保持間隔が変化し、試料が小さいほど回転台が上方へ移動し、試料が小さいほど試料を保持する保持間隔が小さくなることを特徴としている。
【０００８】
一つの試料保持装置を用いて、異なる大きさの試料の中心へ光を照射する（光源の位置は動かさない）ことが本願の目的である。そのためには、小さい試料ほど試料を保持する保持間隔を小さくし、光が照射される物体をなるべく上方へ移動させる必要がある。これは、試料が大きければ大きいほど中心から下端までの距離が長く、試料が小さければ小さいほど中心から下端までの距離が短いからである。従って、上記構成によれば、上記の目的を達成することができる。
【発明の効果】
【０００９】
以上のように、本発明によれば、ステージの上下動に頼ることなく、１つの試料保持装置で大きさ形状の異なる複数の試料に対して、測定光が中心に位置する試料保持装置を提供することができる。
【図面の簡単な説明】
【００１０】
【図１】本実施の形態の試料保持装置の構成を示す分解斜視図である。
【図２】本実施の形態の分光光度計の概要図である。
【図３】図１の試料保持装置に設けた試料押えの構成を示す斜視図である。
【図４】図１の試料保持装置に設けた歯車の構成を示す斜視図である。
【図５】図１に示す試料保持装置を組み立てた図である。
【図６】第３のベースを押し下げた状態の試料押えの位置を示す、試料保持装置の図である。
【図７】試料を押えた状態の試料押えの位置を示す、試料保持装置の図である。
【図８】（ａ）〜（ｃ）は、従来の試料保持装置を示す図である。
【図９】ステージに載せた状態の従来の試料保持装置を示す図である。
【発明を実施するための形態】
【００１１】
〔分光光度計の概略構成〕
本発明の一実施の形態について、図面を用いて説明する。図２は本実施の形態の分光光度計の概要図である。本実施の形態の分光光度計は、光源１，分光器２，試料室３，検知器５を備えている。光源１から出た測定光６は、分光器２へ導かれる。分光器２によって、光はスペクトル分光され任意の波長が選択可能となり、波長走査が行われる。分光器２でスペクトル分光された測定光６は、試料室３に設置した試料保持装置４で保持された試料を通り、検知器５へ導かれる。ここで、試料保持装置４で保持された試料は、測定光６が試料の中心に照射される位置に設置される必要がある。以下、具体的に説明するが、特徴は、異なる大きさ，形状を有する試料であっても、分光光度計にステージを設け、該ステージの上下動をさせることなく試料の中心に測定光を導くような構成の試料保持装置を有することである。
【００１２】
〔試料保持装置の構成〕
試料保持装置４の構成を図１を用いて説明をする。図１は、試料保持装置４の構成を示す分解斜視図である。試料保持装置４は、第１のベース（基台）１１，第２のベース（回転台）１２，第３のベース（板）１３，３つの第１のピン１４，２つの第２のピン（突起部）１５，バネ（弾性体）１６，歯車１７，ナット１８，２つの試料押え（試料保持部）１９を備えている。
【００１３】
第１のベース１１は、円筒状に形成されている。円筒の円周に傾斜させた楕円型の穴（切り欠き）２１が左右対称に２箇所開けられている。円筒の一端には第１のピン１４が３本、円筒の側面と平行に固定されている。図に示すように、円筒の端部から３本の第１のピン１４が突き出るように配置されている。
【００１４】
第２のベース１２は、円筒状に形成されている。少なくとも一方側が閉口面となっており、該閉口面の中心に円型の穴２２が開けられており円筒外側からこの穴２２へ歯車１７の軸が挿入され、歯車１７が円筒内側からナット１８で固定されている。また、第２のピン１５が左右対称に２本固定されている。この第２のピン１５は、円筒の側面から外側へ突き出るように固定される。なお、第２のベース１２の外径は、第１のベース１１の内径とほぼ同じ大きさで構成される。
【００１５】
第３のベース１３は、円形の板状に形成されている。円型の穴２３が円形の中心と３本の第１のピン１４が挿入できる位置の４箇所開けられている。また、楕円型の穴（細長い貫通穴）２４が４箇所開けられている。この楕円型の穴２４は、中心を通る直線の両脇に設けられている。
【００１６】
試料押え１９は、図３に示すように、試料形状と同一形状のＵ字状の先端７と歯車１７の歯のピッチと同一ピッチの溝８と突起９とを備えている。
【００１７】
図４は歯車１７の拡大図である。
【００１８】
〔試料保持装置の組立方法〕
次に、これら各構成を用いた、試料保持装置の製造方法について説明する。
【００１９】
第１のピン１４を上方へ向けた状態で第１のベース１１の内側にバネ１６を設置する。歯車１７と第２のピン１５が固定されている第２のベース１２をバネ１６に被せる。ここで、第２のベース１２は第１のベース１１に空けられている傾斜させた楕円型の穴２１に第２のピン１５が挿入できる位置に被せる。第３のベース１３を、第２のベース１２の上方へ設置する。第３のベース１３は、円型の穴２３に歯車１７の軸と第１のピン１４が挿入できる位置に設置する。試料押え１９を、第３のベース１３の上に設置する。試料押え１９を、第３のベース１３に空けられている楕円型の穴２４に突起９が挿入できる位置に２つ左右対称に設置する。以上のように組み立てた完成図を図５に示す。
【００２０】
〔試料保持方法〕
次に、この試料保持装置を用いて試料を保持する動作を説明する。バネ１６に押し上げられている第３のベース１３を押し下げる。歯車１７と第２のピン１５が固定されている第２のベース１２は、第３のベース１３に押され、第２のピン１５が第１のベース１１の傾斜させた楕円型の穴２１に沿って移動するため回転しながら下がる。
【００２１】
２つの試料押え１９の先端７は、回転した歯車１７と試料押え１９の溝８により試料保持装置４の中心より遠くなる方向へ広がりながら下がる。先端７が広がった一例を図６に示す。広がった試料押え１９の先端７の間に試料を第３のベース１３の上へ設置する。下方へ押し下げていた、第３のベース１３を離す。
【００２２】
歯車１７と第２のピン１５が固定されている第２のベース１２は、バネ１６に押され、第２のピン１５と第１のベース１１の傾斜させた楕円型の穴２１に沿って移動するため回転しながら上がる。第３のベース１３は、歯車１７と第２のピン１５が固定されている第２のベース１２に押されて上がる。
【００２３】
２つの試料押え１９の先端７は、歯車１７と試料押え１９の溝８に依り試料保持装置４の中心方向へ狭まくなりながら上がる。図７は２つの試料押え１９が狭まった図である。２つの試料押え１９は、試料と先端７が接触する位置で止り、試料を保持することができる。バネ１６による第３のベース１３の動作と歯車１７と試料押え１９の溝８により試料押え１９の先端７の動作を同期させることにより試料を保持することと同時に測定光に対して試料を試料の中心位置へ移動させることが可能となる。なお、最初に行う第３のベース１３の押し下げは、手動で行ってもよいし、自動で押し下がるように構成してもよい。
【００２４】
大きな試料ほど第３のベース１３はより下方で止り、小さな試料ほど第３のベース１３はより上方まで移動する。このことを利用して異なる大きさの試料を載せた場合でも試料の中心位置へ測定光が照射される。所定のピッチの歯車１７と試料押え１９の組に対して、試料の中心へ照射できる試料は限られているが、例えばピッチの大きさを変えることにより、あらゆる大きさの試料に対応することができる。
【００２５】
本発明の実施形態により、試料を保持する手段と測定光に対して試料を試料の中心位置へ移動させる手段とを同期させていることを特徴とする試料保持装置が開示される。
【産業上の利用可能性】
【００２６】
本発明の試料保持装置は、例えば分光光度計に用いることができる。
【符号の説明】
【００２７】
１  光源
２  分光器
３  試料室
４  試料保持装置
５  検出器
６  測定光
７  先端
８  溝
９  突起
１１  第１のベース（基台）
１２  第２のベース（回転台）
１３  第３のベース（板）
１４  第１のピン
１５  第２のピン（突起部）
１６  バネ（弾性体）
１７  歯車
１８  ナット
１９  試料押え（試料保持部）
２１  楕円型の穴（切り欠き）
２２，２３  円型の穴
２４  楕円型の穴（細長い貫通穴）
【図１】
2011021958.tif 000003
【図２】
2011021958.tif 000004
【図３】
2011021958.tif 000005
【図４】
2011021958.tif 000006
【図５】
2011021958.tif 000007
【図６】
2011021958.tif 000008
【図７】
2011021958.tif 000009
【図８】
2011021958.tif 000010
【図９】
2011021958.tif 000011